(57)【要約】【課題】玉の肩乗り上げを防止することができると共に、転がり軸受部における軸受剛性が損なわれるのを防ぐことのできる転がり軸受装置を提供する。【解決手段】内側部材３０と、この内側部材３０の径方向外方に設けられた外輪２と、内側部材３０と外輪２とにアンギュラコンタクトとなるよう内側部材３０と外輪２との間に設けられた軸方向インナ側の複数個の玉４と軸方向アウタ側の複数個の玉５とを備えている。軸方向インナ側の玉４と接触する軌道面側の肩部の肩径と、軸方向アウタ側の玉５と接触する軌道面側の肩部の肩径とが相違している。【選択図】      図１
2006275207.tif 000002
【特許請求の範囲】
【請求項１】
内側部材と、この内側部材の径方向外方に設けられた外側部材と、前記内側部材と前記外側部材とにアンギュラコンタクトとなるよう当該内側部材と外側部材との間に設けられた軸方向インナ側の複数個の玉と軸方向アウタ側の複数個の玉と、を備えた転がり軸受装置において、前記軸方向インナ側の玉と接触する軌道面側の肩部の肩径と、前記軸方向アウタ側の玉と接触する軌道面側の肩部の肩径とが相違していることを特徴とする転がり軸受装置。
【請求項２】
軸方向インナ側とアウタ側とにおいて前記肩部の肩径を、前記内側部材と前記外側部材のいずれか片方のみ相違させている請求項１に記載の転がり軸受装置。
【請求項３】
前記軸方向インナ側の玉と接触する軌道面の曲率半径と、前記軸方向アウタ側の玉と接触する軌道面の曲率半径とが相違している請求項１又は２に記載の転がり軸受装置。
【請求項４】
軸方向インナ側とアウタ側とにおいて前記軌道面の曲率半径を、前記内側部材と前記外側部材のいずれか片方のみ相違させている請求項３に記載の転がり軸受装置。
【請求項５】
前記外側部材において、前記軸方向インナ側の軌道面と前記軸方向アウタ側の軌道面との間の内周面が、前記肩部の肩径が小さくされた側から前記肩部の肩径が大きくされた側へ向かって拡径するテーパ面とされている請求項１〜４のいずれかに記載の転がり軸受装置。
【発明の詳細な説明】
【技術分野】
【０００１】
この発明は、自動車等の車両の車輪が取り付けられる転がり軸受装置に関する。
【背景技術】
【０００２】
自動車等の車両の車輪が取り付けられる転がり軸受装置として従来知られるものに、内輪と、この内輪の径方向外方に設けられた外輪と、内輪と外輪とにアンギュラコンタクトとなるよう内輪と外輪との間に設けられた軸方向インナ側の複数個の玉と軸方向アウタ側の複数個の玉とを備えたものがある（例えば特許文献１参照）。
特許文献１に記載されている転がり軸受装置は、内輪が車両本体側に取り付けられ、外輪に車輪側部材が取り付けられ、外輪が内輪に対して回転自在とされた外向き複列アンギュラ玉軸受を構成している。
【０００３】
【特許文献１】特開平７−１６７１３８号公報（図６）
【発明の開示】
【発明が解決しようとする課題】
【０００４】
一般に車両が旋回する際には、旋回方向の反対側（右旋回の場合は車両の左側）の車軸により大きな荷重が負荷される。従って、特許文献１に記載されている軸受装置のように、車輪側部材が外輪に取り付けられて複列アンギュラ玉軸受を構成している場合、車両が旋回する際に軸方向インナ側（車両の左右方向内側）の玉に大きな荷重が作用して、インナ側の玉が肩部に乗り上げやすくなる。なお、肩部とは、外輪の場合、軸方向インナ側・アウタ側の一対の軌道面間の内周面と断面凹湾曲状の軌道面との交差部であり、内輪の場合の肩部は、内輪の外周面と軌道面との交差部である。さらに、肩径とは、外輪の場合は肩部における内径であり、内輪の場合は肩部における外径となる。
また、特許文献１に記載されている転がり軸受装置は、外輪について見ると、インナ側の軌道面の曲率半径（溝半径）がアウタ側の軌道面の曲率半径よりも小さくされている。つまり、この軸受装置は、車両が旋回する際にインナ側において荷重が大きく作用することでインナ側の玉が肩部へ乗り上げやすくなっており、さらに、インナ側の軌道面の曲率半径がアウタ側よりも小さくされていることによりインナ側の玉がさらに肩部へ乗り上げやすくなってしまうという問題点を有している。
【０００５】
また、一般にこのような軸受装置を設計する際、玉の肩部への乗り上げが最も起こりやすい危険側の箇所において安全となるよう肩径や軌道面の曲率半径を設定し、その肩径や曲率半径の値をインナ側とアウタ側との双方に適用している。即ち、例えば外輪において、玉の肩部への乗り上げが比較的起こりにくい側の軌道面についても肩径が小さくされ、軌道面を径方向に深くしている。そして、軌道面を径方向に深くすると軌道面の研磨作業に時間を費やし、製作工数を増加させてしまう。つまり、図５に示すように、軌道面を研磨する場合（二点鎖線が研磨後の軌道面）、砥石ｅを半径方向から接近させて行うため、軌道面が径方向に深くなると軌道面の底部の研磨代の径方向寸法ａに比べて肩部付近における軌道面の研磨代の径方向寸法ｂが増大し、研磨工数が多く必要となる。従って、玉の肩乗り上げが生じにくい部位においても軌道面を径方向に深くすることで、研磨工数が増加してしまうという問題点を有している。
さらに、肩径と軌道面の曲率は、軸方向インナ側とアウタ側とにおいて同一とされており、玉の肩部への乗り上げが比較的起こりにくい安全側の軌道面においても危険側の値が適用されているため、安全側の箇所においては過剰品質とされている。
そこで、この発明は前記問題点に鑑みてなされたものであり、軌道面の研磨工数の増加を抑えつつ、肩乗り上げを防止することができる転がり軸受装置を提供することを目的とする。
【課題を解決するための手段】
【０００６】
前記目的を達成するためのこの発明は、内側部材と、この内側部材の径方向外方に設けられた外側部材と、前記内側部材と前記外側部材とにアンギュラコンタクトとなるよう当該内側部材と外側部材との間に設けられた軸方向インナ側の複数個の玉と軸方向アウタ側の複数個の玉とを備えた転がり軸受装置において、前記軸方向インナ側の玉と接触する軌道面側の肩部の肩径と、前記軸方向アウタ側の玉と接触する軌道面側の肩部の肩径とが相違していることを特徴としている。
このような構成の転がり軸受装置によれば、例えば外側部材において、軸方向インナ側とアウタ側のうち、玉の肩乗り上げが起こりやすい側の肩径（内径）を、肩乗り上げが起こりやすい側と反対側の肩径（内径）よりも小さくすれば、肩径を小さくした側において玉の肩乗り上げを防止することができる。これにより、軸受装置の寿命を延ばすことができる。
さらに、例えば外側部材において、肩乗り上げが起こりやすい側と反対側（肩乗り上げが生じにくい側）の肩部については肩径を小さくしていないので、つまり、凹周溝から成る軌道面を径方向に深くしていないため、軌道面における研磨作業を行いやすくなる。即ち、軌道面が径方向に深くなると、肩部付近において軌道面の研磨代が多くなるので研磨仕上げに時間を要するが、これを抑えることができる。
【０００７】
また、軸方向インナ側とアウタ側とにおいて前記肩部の肩径を、前記内側部材と前記外側部材のいずれか片方のみ相違させているのが好ましい。この構成によれば、軸方向インナ側とアウタ側との肩径を相違させて軌道面を径方向に深くしている部材が、内側部材と外側部材のうちのいずれか片方のみとされていることにより、軌道面の研磨代を少なくし、軌道面の研磨工数が増えるのを抑えることができる。
【０００８】
また、前記軸方向インナ側の玉と接触する軌道面の曲率半径と、前記軸方向アウタ側の玉と接触する軌道面の曲率半径とが相違しているのが好ましい。この構成によれば、軸方向インナ側とアウタ側のうち玉の肩乗り上げが起こりやすい側の軌道面の曲率半径を、その反対側の軌道面の曲率半径よりも大きくすれば、曲率半径を大きくした側において玉の肩乗り上げをより効果的に防止することができ、より大きな荷重が作用しても肩乗り上げが生ずるのを防止することができる。
【０００９】
またこの場合において、軸方向インナ側とアウタ側とにおいて前記軌道面の曲率半径を、前記内側部材と前記外側部材のいずれか片方のみ相違させているのが好ましい。この構成によれば、軸方向インナ側とアウタ側のうち玉の肩乗り上げが起こりやすい側の軌道面の曲率半径を、その反対側の軌道面の曲率半径よりも大きくすれば、曲率半径を大きくした側において玉の肩乗り上げを防止することができる。そして、一般に軌道面の曲率半径を大きくすると軸受剛性が低下してしまうが、この構成によれば、外側部材の軌道面の曲率半径と内側部材の軌道面の曲率半径のうちの片方のみを大きくするので、転がり軸受部全体としての剛性が低下するのを抑制することができる。
【００１０】
また、前記外側部材において、前記軸方向インナ側の軌道面と前記軸方向アウタ側の軌道面との間の内周面が、前記肩部の肩径が小さくされた側から前記肩部の肩径が大きくされた側へ向かって拡径するテーパ面とされているのが好ましい。この構成によれば、簡単な構成により軸方向インナ側とアウタ側とで肩径を相違させることができる。つまり、簡単な構成により玉の肩乗り上げを防ぐことができる。
【発明の効果】
【００１１】
本発明の転がり軸受装置によれば、玉の肩乗り上げを防止して軸受寿命を延ばすことができ、また、軌道面の研磨工数が増加するのを抑制することができる。
【発明を実施するための最良の形態】
【００１２】
以下、この発明の実施の形態について添付図面を参照しながら説明する。
図１はこの発明の実施の一形態に係る転がり軸受装置（以下、単に軸受装置ともいう）を示す縦断面図である。この軸受装置は自動車等の車両の車輪用として用いられ、車輪側部材１０が取り付けられるフランジ部３を軸方向アウタ側（外側）端部２１に有する内軸１と、この内軸１の径方向外方に設けられた外輪２とを備えている。なお、フランジ部３に取り付けられる車輪側部材１０としては車輪のホイール、ディスクブレーキ用のブレーキロータがある。また、図１に示している軸受装置はいわゆる第３世代の車輪用軸受装置と呼ばれるものである。
【００１３】
内軸１のインナ側（内側）端部２２には内輪部材１２が外嵌して取り付けられており、内軸１と内輪部材１２とによりこの軸受装置の内側部材３０とされている。外輪２は、この内側部材３０（内軸１と内輪部材１２）の径方向外方に、軸方向インナ側の第１の転動体と軸方向アウタ側の第２の転動体とを介在させて設けられている。つまり、外輪２が外側部材となる。
軸方向インナ側の第１の転動体は複数の玉４からなり、軸方向アウタ側の第２の転動体は複数の玉５からなり、第１の玉４と第２の玉５は夫々、内側部材３０及び外輪２にアンギュラコンタクトとなるよう設けられている。つまり、この軸受装置は外向き複列アンギュラ玉軸受を構成している。
【００１４】
内軸１のフランジ部３は内軸１の軸方向アウタ側端部２１において径方向外方向きに形成されており、フランジ部３の軸方向アウタ側となる車輪側部材１０用の取り付け面３ａは、軸受の中心線（軸心）Ｃに直交する面となるよう形成されている。また、内軸１のインナ側端部２２には前記内輪部材１２を外嵌させるための小径部１３が形成されている。小径部１３の軸方向アウタ側には環状の段付き面（突き当て面）１４が形成されており、段付き面１４の外周縁から軸方向アウタ側に向かって中径部１５が形成されている。中径部１５のさらに軸方向アウタ側は大径部１６が形成されており、大径部１６の外周面は内軸１と外輪２との間に設けられたシール部材１７のシール面とされている。
【００１５】
内輪部材１２は、内軸１のインナ側端部２２に形成されている小径部１３に外嵌しかつ段付き面１４に突き当てられて内軸１に取り付けられている。さらに、内軸１のインナ側端部２２の外周側部が径方向外向きに広げられて形成されたかしめ部１８により、内輪部材１２は軸方向に圧縮され、内輪部材１２は軸力を持って内軸１に外嵌固定されている。
【００１６】
図２はこの軸受装置の要部を説明する説明図であり、図２において、内輪部材１２の外周面には軸方向インナ側の玉４用の単一の軌道面６が形成されている。そして、内軸１の中径部１５の外周面に軸方向アウタ側の玉５用の単一の軌道面８が形成されている。従って、内輪部材１２の外周面と軌道面６との交差部が軸方向インナ側の肩部２８とされ、内軸１の大径部１６の外周面と軌道面８との交差部が軸方向アウタ側の肩部２７とされている。
【００１７】
図１と図２において、外輪２は内軸１と同軸となるよう設けられており、外輪２は円筒部１９とフランジ部２０とを有している。そして、円筒部１９の内周面の軸方向インナ側に第１の玉４用の単一の軌道面７が形成され、アウタ側に第２の玉５用の単一の軌道面９が形成されている。
外輪２のフランジ部２０は円筒部１９の外周面側に設けられており、このフランジ部２０を図外の車体側部材と連結させることによりこの転がり軸受装置は車両本体と固定される。図１の軸受装置は、外輪２が車両本体と固定される固定側部材とされ、内側部材３０（内軸１と内軸１に外嵌させた内輪部材１２）が回転側部材とされている。そして、この軸受装置が車両本体に固定されると、内軸１のフランジ部３側が軸方向アウタ側となり、内軸１に外嵌させた内輪部材１２側が軸方向インナ側となる。
【００１８】
一般に車両が旋回する際には車両に大きなモーメント荷重が負荷され、図１に示した転がり軸受装置においてもこれによりモーメント荷重、軸方向荷重が大きく作用し、玉４，５において肩乗り上げが生じやすくなる。そこで、本発明において、軸方向インナ側の玉４と接触する軌道面側の肩径と、軸方向アウタ側の玉５と接触する軌道面側の肩径とを相違させている。例えば、外輪２において、軸方向インナ側の肩部２６と軸方向アウタ側の肩部２５のうち、荷重が大きく作用して玉の肩乗り上げが起こりやすい軌道面側の肩径を、肩乗り上げが起こりやすい側と反対側の肩径よりも小さくしている（例えばＤ１＜ｄ１）。また、内側部材３０においては、軸方向インナ側とアウタ側のうち荷重が大きく作用して玉の肩乗り上げが起こりやすい軌道面側の肩径を、肩乗り上げが起こりやすい側と反対側の肩径よりも大きくしている（Ｄ２＞ｄ２）。
【００１９】
具体的に説明すると、軸方向アウタ側の第２の玉５とこの玉５と接触する軌道面８，９との間において、軸方向インナ側よりも肩乗り上げが起こりやすいとした場合、図２の外輪２において、軸方向アウタ側の肩部２５の肩径Ｄ１を、軸方向インナ側の肩部２６の肩径ｄ１よりも小さくしている（Ｄ１＜ｄ１）。言い換えると、軸方向アウタ側の軌道面９の径方向の深さをインナ側の軌道面７の径方向の深さよりも深くしている。
さらに、図２の内側部材３０においては、軸方向アウタ側の肩部２７の肩径Ｄ２を、軸方向インナ側の肩部２８の肩径ｄ２よりも大きくしている（Ｄ２＞ｄ２）。つまり、軸方向アウタ側の軌道面８の径方向の深さをインナ側の軌道面６の径方向の深さよりも深くしている。
これにより、軸方向アウタ側の軌道面８，９を径方向に深くすることができ、この軌道面８，９と第２の玉５との間において、肩乗り上げが生ずるのを防止することができる。さらに、軸方向インナ側においては軌道面６，７の研磨工数が増加するのを抑えることができる。
【００２０】
また図示しないが、軸方向インナ側とアウタ側とにおいて肩径を大小相違させるのは、内側部材３０と外輪２のいずれか片方のみとされているのが好ましい。つまり、図２を参考にして説明すると、内軸１に形成されているアウタ側の軌道面８側の肩部２７の肩径Ｄ２と、内輪部材１２に形成されているインナ側の軌道面６側の肩部２８の肩径ｄ２とは同一寸法（Ｄ２＝ｄ２）とされているが、外輪２において、アウタ側の軌道面９側の肩部２５の肩径Ｄ１がインナ側の軌道面７側の肩部２６の肩径ｄ１よりも小さくされている（Ｄ１＜ｄ１）。または、これとは逆に、外輪２においては軸方向アウタ側の肩径Ｄ１とインナ側の肩径ｄ１とを同一寸法とし（Ｄ１＝ｄ１）、内側部材３０において軸方向アウタ側の肩径Ｄ２をインナ側の肩径ｄ２よりも大きく（Ｄ２＞ｄ２）してもよい。つまり、外輪２と内側部材３０とのうち、玉の肩乗り上げがさらに起こりやすい側の部材においてのみその肩径を、軸方向反対側の肩径と相違させている。これにより、軸方向アウタ側の両軌道面８，９の一方のみがその径方向に深くされるのみであり、研磨工数が増加するのを抑えることができる。
【００２１】
また、玉の肩乗り上げは、例えば、車両重量が重い場合、旋廻加速度が大きい場合、タイヤ中心と軸受中心とが軸方向に大きくずれている場合において生じやすく、これらの要素により肩乗り上げが生じやすい側がインナ側となったりアウタ側となったりする。
さらに、図４に示すように、外輪２が車輪側部材１０を取り付けるためのフランジ部３を有している転がり軸受装置において、玉の肩乗り上げが起こりやすい側が、図１に示した軸受装置とインナ側とアウタ側とで反対となることもある。なお、図４に示している軸受装置においては、インナ側の第１の玉４側が、アウタ側の第２の玉５よりも肩乗り上げが生じやすい場合の構成を示している。
【００２２】
図４の軸受装置を簡単に説明すると、これはいわゆる第２世代の車輪用軸受装置であり、車輪側部材１０が取り付けられるフランジ部３を有しかつ２列の軌道面を内周面に形成している外輪２と、内周面側に図示しない車体側の軸部材が挿入されかつ外周面側に２列の軌道面を形成している２つの内輪部材２４，２４と、外輪２と内輪部材２４，２４にアンギュラコンタクトしているインナ側の第１の玉４とアウタ側の第２の玉５とを備えている。つまり、外輪２が外側部材であり、２つの内輪部材２４，２４が内側部材３０となる。
【００２３】
さらに、本発明の軸受装置は、軸方向インナ側の玉４と接触する軌道面の曲率半径と、軸方向アウタ側の玉５と接触する軌道面の曲率半径とを相違させている。具体的には、軸方向インナ側とアウタ側とのうち、肩乗り上げが起こりやすい側の軌道面の曲率半径が、肩乗り上げが起こりやすい側と反対側の軌道面の曲率半径よりも大きくされている。つまり、図２に示す軸受装置においては、軸方向アウタ側の玉５が肩乗り上げしやすい側とされているため、軸方向アウタ側の外輪２の軌道面９の曲率半径Ｒを、インナ側の外輪２の軌道面７の曲率半径ｒよりも大きくしている（Ｒ＞ｒ）。
また、一般的に軌道面の曲率半径は玉の半径よりも大きく設定されている。従って、本発明の軸受装置は、図２に示すように、肩乗り上げが起こりやすい側と反対側の軌道面の曲率半径ｒは、玉の半径ｒ０よりも大きくかつ肩乗り上げが起こりやすい側の軌道面の曲率半径Ｒよりも小さくされることとなる（ｒ０＜ｒ＜Ｒ）。
【００２４】
さらに、この場合において、軸方向インナ側とアウタ側とにおいて軌道面の曲率半径を相違させるのは、内側部材３０と外輪２のいずれか片方のみとされている。具体的には、軸方向インナ側とアウタ側とで肩乗り上げが起こりやすい軸方向一方側において、内側部材３０の軌道面と外輪２の軌道面のいずれか一方のみの軌道面の曲率半径が、軸方向において肩乗り上げが起こりやすい側と反対側の軌道面の曲率半径よりも大きくされている。つまり、図２において、例えば、内軸１の軌道面８と内輪部材１２の軌道面６とは同一の曲率半径とされているが、外輪２において、アウタ側の軌道面９の曲率半径Ｒがインナ側の軌道面７の曲率半径ｒよりも大きくされている（Ｒ＞ｒ）。
そしてこの構成は、軸方向インナ側の内外軌道面６，７とアウタ側の内外軌道面８，９のうち、肩乗り上げが最も起こりやすい１箇所の軌道面のみの曲率半径を、他の部分よりも大きくしているのが好ましい。
【００２５】
そして、本発明の軸受装置は、図１と図２に示す外輪２のように、軸方向インナ側の軌道面７側の肩部２６の肩径ｄ１とアウタ側の軌道面９側の肩部２５の肩径Ｄ１とが相違するよう構成されている場合、インナ側の軌道面７とアウタ側の軌道面９との間の内周面が、肩径が小さくされた側（肩部２５側）から肩径が大きくされた側（肩部２６側）へ向かって直線的に拡径するテーパ面１１とされている。
つまり、玉の肩乗り上げが起こりやすい側からその反対側へ向かって直線的に拡径するテーパ面１１とされている。
【００２６】
または図３は外輪２の変形例であり、軸方向インナ側の軌道面７とアウタ側の軌道面９との間の内周面において、インナ側の軌道面７側の肩部２６の肩径ｄ１とアウタ側の軌道面９側の肩部２５の肩径Ｄ１とが相違するよう構成されているが、軸方向インナ側の軌道面７とアウタ側の軌道面９との間の内周面が、アウタ側からインナ側に向かって内径寸法が段階的に拡大するよう変化する段付き面２３となるようしてもよい。
【００２７】
また、本発明の転がり軸受装置は、図示する形態に限らずこの発明の範囲内において他の形態のものであっても良く、本発明は、図１、図４に示している転がり軸受装置の他に、図示しないが、２列の軌道面が形成された（２個の）内輪部材と、２列の軌道面が形成された外輪部材とが、車両本体と固定される車両側本体部材と、車輪側部材が取り付けられるフランジ部を有する車輪側本体部材とに、夫々別体として設けられた転がり軸受装置（いわゆる第１世代の車輪用軸受装置）においても適用できる。
【図面の簡単な説明】
【００２８】
【図１】本発明に係る転がり軸受装置の実施の一形態を示す縦断面図である。
【図２】転がり軸受装置の要部を示す断面図である。
【図３】転がり軸受装置の要部の変形例を示す断面図である。
【図４】本発明に係る転がり軸受装置の他の実施の形態を示す縦断面図である。
【図５】軌道面の研磨作業を説明する説明図である。
【符号の説明】
【００２９】
１  内軸
２  外輪
４  玉
５  玉
６  内側部材の軌道面
７  外側部材の軌道面
８  内側部材の軌道面
９  外側部材の軌道面
１１  テーパ面
２５  外側部材の肩部
２６  外側部材の肩部
２７  内側部材の肩部
２８  内側部材の肩部
Ｄ１  外側部材の肩径
Ｄ２  内側部材の肩径
ｄ１  外側部材の肩径
ｄ２  内側部材の肩径
【図１】
2006275207.tif 000003
【図２】
2006275207.tif 000004
【図３】
2006275207.tif 000005
【図４】
2006275207.tif 000006
【図５】
2006275207.tif 000007